(57)【要約】【課題】ユーザの所望する内容のＣＭのみを自動的に録画することができる録画装置、録画システム及び録画方法を提供する。【解決手段】レコーダ１１の予約管理部１１４は、ユーザが予め録画予約を行いたいＣＭについて「カテゴリ」や「スポンサー」、「キーワード」といった複数の条件をユーザに設定させておく。そして、予約管理部１１４は、予め設定された条件に合致するＣＭをサーバ１２に問い合わせることにより、条件に合致するＣＭに関するＥＣＧ情報をＣＭの放送前に予め入手し、当該ＣＭを録画予約の対象として予約することができる。そして、実際の放送時には、予約管理部１１４は条件に合致するＣＭのみを記録部１１３により記録媒体に記録することができる。【選択図】図４
2009296273.tif 000002
【特許請求の範囲】
【請求項１】
ユーザの操作を受け付ける操作部と、
テレビ放送を受信するチューナ部と、
前記チューナ部が受信するテレビ放送のうち、あらかじめ設定された部位のみを録画するように、当該部位の放送以前に予約可能な予約管理部と、
テレビ放送に関する所定の情報を取得する情報取得部と、
前記操作部に対する所定の操作に応じて、これから放送予定のテレビ放送内の所定の条件を満たす部位を前記情報取得部が取得した前記所定の情報を基に検索及び抽出する検索部と、
を有し、
前記予約管理部は、前記検索部が検索及び抽出した、前記所定の条件に合致するコマーシャル（ＣＭ）部分のみを録画するように録画予約を行う
録画装置。
【請求項２】
前記所定の情報は、放送予定のテレビ放送に関する各種情報を含むＥＣＧ（Electric Content Guide）情報である
請求項１に記載の録画装置。
【請求項３】
前記検索部が検索及び抽出する際の前記所定の条件は、前記操作部に対する所定の操作により予め設定される条件である
請求項２に記載の録画装置。
【請求項４】
テレビ放送を録画可能な録画装置と、
前記録画装置に対して、テレビ放送に関する所定の情報を提供するサーバ装置と、
を有し、
前記録画装置は、
ユーザの操作を受け付ける操作部と、
テレビ放送を受信するチューナ部と、
前記チューナ部が受信するテレビ放送のうち、あらかじめ設定された部位のみを録画するように、当該部位の放送以前に予約可能な予約管理部と、
前記操作部に対する所定の操作に応じて、これから放送予定のテレビ放送内の所定の条件を満たす部位を検索及び抽出する検索部と、
を有し、
前記サーバ装置は、
前記録画装置からの要求に応じて前記所定の情報を送信する送信部と、
前記所定の情報を予め記憶するデータベースと、
を有し、
前記録画装置の前記予約管理部は、前記検索部が検索及び抽出した、前記所定の条件に合致するコマーシャル（ＣＭ）部分のみを録画するように録画予約を行う
録画システム。
【請求項５】
テレビ放送を録画可能な録画装置が、これから放送されるテレビ放送のうち、所望のコマーシャル（ＣＭ）を満たす条件を設定するステップと、
前記録画装置が、テレビ放送に関する所定の情報を提供するサーバ装置に対して、これから放送予定のテレビ放送に関する前記所定の情報を要求するステップと、
前記サーバ装置が、前記要求された前記所定の情報を前記録画装置に対して送信するステップと、
前記録画装置が、前記送信された前記所定の情報を基に、前記設定された前記条件に合致するＣＭ部分のみを抽出するステップと、
前記録画装置が、前記抽出されたＣＭ部分の録画予約を行うステップと、
を有する録画システムにおける録画方法。
【請求項６】
テレビ放送を録画可能な録画装置と、
前記録画装置に対して、テレビ放送に関する所定の情報を提供するサーバ装置と、
を有し、
前記録画装置は、
ユーザの操作を受け付ける操作部と、
テレビ放送を受信するチューナ部と、
前記チューナ部が受信するテレビ放送のうち、あらかじめ設定された部位のみを録画するように、当該部位の放送以前に予約可能な予約管理部と、
を有し、
前記サーバ装置は、
前記録画装置からの要求に応じて前記所定の情報を送信する送信部と、
前記所定の情報を予め記憶するデータベースと、
前記録画装置の前記操作部に対する所定の操作に応じて、前記データベースが記憶する前記所定の情報を基に、これから放送予定のテレビ放送の中から所定の条件を満たす部位を検索及び抽出する検索部と、
を有し、
前記サーバ装置の前記検索部は、前記所定の条件に合致するコマーシャル部分のみを検索及び抽出し、
前記録画装置の前記予約管理部は、前記検索部が検索及び抽出したＣＭ部分のみを録画するように録画予約を行う
録画システム。
【請求項７】
テレビ放送を録画可能な録画装置が、これから放送されるテレビ放送のうち、所望のコマーシャル（ＣＭ）を満たす条件を設定するステップと、
前記録画装置が、テレビ放送に関する所定の情報を提供するサーバ装置に対して、前記条件を送信するステップと、
前記サーバ装置が、前記所定の情報を基に、前記送信された前記条件に合致するＣＭ部分のみを抽出するステップと、
前記サーバ装置が、前記抽出した前記ＣＭ部分に関する所定の情報を前記録画装置に対して送信するステップと、
前記録画装置が、前記抽出されたＣＭ部分の録画予約を行うステップと、
を有する録画システムにおける録画方法。
【発明の詳細な説明】
【技術分野】
【０００１】
本発明は、予め録画したいテレビ放送の部位を指定し、録画予約を行うことができる録画装置、録画システム及び録画方法に関する。
【背景技術】
【０００２】
テレビ放送をビデオテープ、ＤＶＤ（Digital Versatile Disc）、ＢＤ（Blu-ray Disc）等の記憶媒体に録画する録画装置において、視聴を希望する部位のみを録画したい、という要求がある。
このような要求を実現する技術としては、従来から様々な方法が考案されてきている。
例えば、ユーザが特定の番組のみの視聴を希望する場合には、予めタイマに所望の番組の開始及び終了時刻を予約しておき、予約された時刻に達するとタイマが作動して録画を開始或いは終了する技術がある。
【０００３】
更なる要求として、特定の番組のみではなく、ある種のカテゴリに分類される番組を全て録画して視聴したい、という要求もある。すなわち、例えば、クイズ番組というカテゴリに分類される全ての番組を録画し、視聴したい、というような場合である。
このような要求を実現する技術として、例えば特許文献１や非特許文献１に開示された技術がある。
【０００４】
特許文献１には、ユーザが所望のチャプターを容易に選択して当該チャプターへ移動でき、またチャプター移動後も所望のチャプターであったか否かの確認を容易に行うことが可能な画像処理装置、画像処理方法及びそのプログラムが開示されている。
【０００５】
非特許文献１には、ユーザがあらかじめ選択しておいたキーワードやジャンルなどの条件にあう番組をＥＰＧ（Electric Program Guide）を参照して選択し、自動的に（ユーザが番組を指定することなく）、その選択した番組の録画を行う自動録画機能を搭載する技術が開示されている。
特許文献１に開示された技術により、例えばテレビ放送を録画した後、録画した動画データのどこが番組部分であり、どこがＣＭ部分であるかを容易に判断可能になった。
また、非特許文献１に開示されたような技術により、テレビ放送のうち、所望の番組を自動的に録画することは出来るようになった。
【０００６】
【特許文献１】特開２００７−８９０１２号公報
【非特許文献１】ソニー  ハードディスク搭載ＤＶＤレコーダー「スゴ録」  これがスゴ録の得意技<URL:http://www.sony.jp/products/Consumer/dvdrecorder/tour/tokui/tokui_01.html>
【発明の開示】
【発明が解決しようとする課題】
【０００７】
さて、民間のテレビ放送においては、番組の合間にＣＭ（Commercial Message）が放送されることが一般的である。録画した番組をユーザが視聴する際には、番組と同時にＣＭも録画されている場合が一般的であるが、番組を鑑賞する際に番組部分のみを連続して視聴するため、ＣＭ部分をスキップして鑑賞することがよく行われている。しかし、ＣＭ部分のみを連続して視聴する、或いは番組部分を除いてＣＭ部分のみを録画する、というような要求は多くなく、このような要求に応える技術もあまりなかった。
【０００８】
本発明はこのような要求に応えるためになされたものであり、ユーザの所望する内容のＣＭのみを自動的に録画することができる録画装置、録画システム及び録画方法を提供することを目的とする。
【課題を解決するための手段】
【０００９】
上記した不利益を解消するために、第１の発明の録画装置は、ユーザの操作を受け付ける操作部と、テレビ放送を受信するチューナ部と、前記チューナ部が受信するテレビ放送のうち、あらかじめ設定された部位のみを録画するように、当該部位の放送以前に予約可能な予約管理部と、テレビ放送に関する所定の情報を取得する情報取得部と、前記操作部に対する所定の操作に応じて、これから放送予定のテレビ放送内の所定の条件を満たす部位を前記情報取得部が取得した前記所定の情報を基に検索及び抽出する検索部と、を有し、前記予約管理部は、前記検索部が検索及び抽出した、前記所定の条件に合致するコマーシャル（ＣＭ）部分のみを録画するように録画予約を行う。
【００１０】
第２の発明の録画システムは、テレビ放送を録画可能な録画装置と、前記録画装置に対して、テレビ放送に関する所定の情報を提供するサーバ装置と、を有し、前記録画装置は、ユーザの操作を受け付ける操作部と、テレビ放送を受信するチューナ部と、前記チューナ部が受信するテレビ放送のうち、あらかじめ設定された部位のみを録画するように、当該部位の放送以前に予約可能な予約管理部と、前記操作部に対する所定の操作に応じて、これから放送予定のテレビ放送内の所定の条件を満たす部位を検索及び抽出する検索部と、を有し、前記サーバ装置は、前記録画装置からの要求に応じて前記所定の情報を送信する送信部と、前記所定の情報を予め記憶するデータベースと、を有し、前記録画装置の前記予約管理部は、前記検索部が検索及び抽出した、前記所定の条件に合致するコマーシャル（ＣＭ）部分のみを録画するように録画予約を行う。
【００１１】
第３の発明の録画方法は、テレビ放送を録画可能な録画装置が、これから放送されるテレビ放送のうち、所望のコマーシャル（ＣＭ）を満たす条件を設定するステップと、前記録画装置が、テレビ放送に関する所定の情報を提供するサーバ装置に対して、これから放送予定のテレビ放送に関する前記所定の情報を要求するステップと、前記サーバ装置が、前記要求された前記所定の情報を前記録画装置に対して送信するステップと、前記録画装置が、前記送信された前記所定の情報を基に、前記設定された前記条件に合致するＣＭ部分のみを抽出するステップと、前記録画装置が、前記抽出されたＣＭ部分の録画予約を行うステップと、を有する。
【００１２】
第４の発明の録画システムは、テレビ放送を録画可能な録画装置と、前記録画装置に対して、テレビ放送に関する所定の情報を提供するサーバ装置と、を有し、前記録画装置は、ユーザの操作を受け付ける操作部と、テレビ放送を受信するチューナ部と、前記チューナ部が受信するテレビ放送のうち、あらかじめ設定された部位のみを録画するように、当該部位の放送以前に予約可能な予約管理部と、を有し、前記サーバ装置は、前記録画装置からの要求に応じて前記所定の情報を送信する送信部と、前記所定の情報を予め記憶するデータベースと、前記録画装置の前記操作部に対する所定の操作に応じて、前記データベースが記憶する前記所定の情報を基に、これから放送予定のテレビ放送の中から所定の条件を満たす部位を検索及び抽出する検索部と、を有し、前記サーバ装置の前記検索部は、前記所定の条件に合致するコマーシャル部分のみを検索及び抽出し、前記録画装置の前記予約管理部は、前記検索部が検索及び抽出したＣＭ部分のみを録画するように録画予約を行う。
【００１３】
第５の発明の録画システムは、テレビ放送を録画可能な録画装置が、これから放送されるテレビ放送のうち、所望のコマーシャル（ＣＭ）を満たす条件を設定するステップと、前記録画装置が、テレビ放送に関する所定の情報を提供するサーバ装置に対して、前記条件を送信するステップと、前記サーバ装置が、前記所定の情報を基に、前記送信された前記条件に合致するＣＭ部分のみを抽出するステップと、前記サーバ装置が、前記抽出した前記ＣＭ部分に関する所定の情報を前記録画装置に対して送信するステップと、前記録画装置が、前記抽出されたＣＭ部分の録画予約を行うステップと、を有する。
【発明の効果】
【００１４】
本発明は上述した不利益を解消するためになされたものであり、ユーザの所望する内容のＣＭのみを自動的に録画することができる録画装置、録画システム及び録画方法を提供することを目的とする。
【発明を実施するための最良の形態】
【００１５】
以下、本発明の実施形態について説明する。
＜第１実施形態＞
まず、第１実施形態の録画システム１００（第３の発明の録画システムに対応）について説明する。
図１は、第１実施形態の録画システム１００のシステム構成の一例を示すブロック図である。
図１に示すように、第１実施形態の録画システム１００は、レコーダ１１（第３の発明の録画装置に対応）と、サーバ１２（第３の発明のサーバ装置に対応）と、表示部１３と、ネットワーク１４とを有する。
【００１６】
レコーダ１１は、テレビジョン放送等により動画信号を取得し、取得した動画信号をデジタル動画データに変換して記録媒体に記録する記録装置である。記録媒体は、例えばＣＤやＤＶＤ、ＢＤ等の光ディスクであっても良いし、ＨＤＤ（Hard Disk Drive）等やフラッシュメモリ等であってもよい。
サーバ１２は、ＥＣＧ（Electric Content Guide）の制御サーバである。ＥＣＧとは、ＥＰＧ（Electric Program Guide）を発展させたサービスの一例であり、放送の内容、開始時点からの番組終了までの時間、そしてＣＭの開始時間及び終了時間等をテレビ放送の受信装置に通知するサービスである。
表示部１３は、レコーダ１１の録画予約の際の設定に関する設定画面を表示したり、レコーダ１１により受信されたテレビ放送を表示したりする。
また、レコーダ１１とサーバ１２とは、例えばインターネット等のネットワーク１４を介して接続されている。
【００１７】
本第１実施形態の録画システム１００を構成するレコーダ１１及びサーバ１２は、例えば、以下のような構成を有する。
図２は、レコーダ１１の構成の一例を示したブロック図である。
レコーダ１１は、図２に示すように、操作部１１１（第３の発明の操作部に対応）、チューナ１１２（第３の発明のチューナ部に対応）、記録部１１３、予約管理部１１４（第３の発明の予約管理部に対応）、メモリ１１５を有する。
操作部１１１は、例えば種々のキー及び／或いはボタン類、或いはリモートコントローラ（リモコン）等の操作デバイスであり、ユーザによる操作を受け付ける。ユーザは、操作部１１１を操作することにより、ＥＣＧ情報を基に所望する番組やＣＭの録画予約を行うことが出来る。
【００１８】
チューナ１１２は、テレビ放送波を受信し、動画信号を取得する部位である。
記録部１１３は、チューナ１１２が取得したテレビ放送の動画データを光ディスクやＨＤＤ等の記録媒体に記録する記録デバイスである。
予約管理部１１４は、操作部１１１を介したユーザの録画予約の管理を行う部位である。具体的には、ネットワーク１４を介してサーバ１２と通信を行い、サーバ１２からＥＣＧ情報を取得して表示部１３に表示させ、ユーザに操作部１１１を介した録画予約の設定を行わせる。そして、録画予約を受け付け、後述するメモリ１１５に録画予約情報として記憶させ、録画予約通りにチューナ１１２及び記録部１１３を動作させて、予約された番組或いはＣＭの録画を実行する。
また、予約管理部１１４は、操作部１１１に対するユーザの操作により録画予約の対象となるテレビ放送内の部位（番組或いはＣＭ）についての条件に関する条件設定情報を取得し、サーバ１２に対して当該条件設定情報を送信する。
メモリ１１５は、予約管理部１１４により、ユーザが設定した条件に関する条件設定情報や、録画予約に関する録画予約情報を記憶する記憶装置である。メモリ１１５は、例えばフラッシュメモリや、ＳＤＲＡＭ等により構成される。
【００１９】
次に、サーバ１２の構成について説明する。
図３は、サーバ１２の構成の一例を示したブロック図である。
図３に示すように、サーバ１２は、ＥＣＧ情報送信部１２１、検索部１２２、データベース（ＤＢ）１２３を有する。
ＥＣＧ情報送信部１２１は、レコーダ１１の予約管理部１１４により要求された現時点から所定時間のＥＣＧ情報を後述するデータベース１２３から読み出し、予約管理部１１４を対して送信する。
検索部１２２は、予約管理部１１４から送信された検索条件情報に基づいて、検索条件に合致する番組或いはＣＭに関するＥＣＧ情報をＤＢ１２３から検索する。検索されたＥＣＧ情報は、上述したＥＣＧ情報送信部１２１によりレコーダ１１に対して送信される。
ＤＢ１２３は、ＥＣＧ情報を記憶しているデータベースである。ＤＢ１２３に記憶されるＥＣＧ情報は、例えば現在時刻から所定期間（例えば１週間）に放送が予定されている全ての番組或いはＣＭに関するＥＣＧ情報である。ＤＢ１２３に記憶されるＥＣＧ情報は、例えばテレビ放送を実行する放送局により、放送開始より所定期間（例えば１週間）前には更新される。なお、ＥＣＧ情報の詳細（規格や記述の方法等）、及びＤＢ１２３に記憶されるＥＣＧ情報の更新の方法等については本発明では限定しない。
【００２０】
以上説明した構成により、本第１実施形態の録画システム１００では、レコーダ１１は、テレビ放送の放送開始前にＥＣＧ情報（ＥＣＧサービスを実現させる情報、すなわち例えば上述した放送の内容、開始時点からの番組終了までの時間、そしてＣＭの開始時間及び終了時間等の情報）を受信して、表示部１３に表示する。そして、ユーザは、表示部１３に表示されたＥＣＧ情報を基に予め視聴したい番組或いはＣＭを設定することができる。
【００２１】
特に、本第１実施形態の録画システム１００においては、ユーザが視聴したいＣＭのカテゴリやキーワード等の録画条件を予め設定しておくことにより、設定された録画条件に該当するＣＭのみを録画することが可能である。
【００２２】
以下、ユーザが録画予約を所望するＣＭの条件を予め設定することにより、条件に合致するＣＭを自動的に録画する場合の録画システム１００の動作例について説明する。
図４は、予めされた条件設定に応じて、条件に合致するＣＭを自動的に録画する場合の録画システム１００の動作例について説明するためのシーケンス図である。
【００２３】
ステップＳＴ１：
レコーダ１１の予約管理部１１４は、録画予約を行うＣＭの条件設定を、ユーザの操作部１１１への操作等に応じて行う。
録画予約を行うＣＭの条件設定方法について説明する。
図５は、録画予約を行うＣＭの条件を設定する条件設定画面３０について説明するための図である。
レコーダ１１の予約管理部１１４は、ユーザの操作部１１１を介した操作に応じて、図５に示すような条件設定画面３０を表示部１３に表示させる。
条件設定画面３０は、ユーザが録画を所望するＣＭのカテゴリ、キーワード、その他の条件を設定するための画面である。
図５に示すように、条件設定画面３０には、ユーザが録画予約を所望するＣＭを指定するための各種条件が選択可能であるように複数の選択欄３１が設けられている。
図５に示す選択欄「時間帯」は、ユーザが録画を所望するＣＭの放送される時間帯を選択するための選択欄である。操作部１１１を介したユーザの操作に応じて、例えば図５に示すようにカーソル３２（図５の白黒反転した部位）が選択欄「時間帯」に合わせられることにより、選択欄３１の右半分に設けられた、選択肢を表示するための選択肢表示欄３３が操作部１１１の操作に応じて複数の選択肢の中から１つを選択可能な状態となる。すなわち、選択欄「時間帯」における選択肢が例えば「朝」、「お昼」、「夕方」、「夜」、「深夜」、「全ての時間帯」といった複数の選択肢である場合、操作部１１１を介した操作により、これらの選択肢が切り替わって選択肢表示欄３３に表示され、更なる操作により決定が可能となっている。
【００２４】
選択欄３１に表示される条件としては、例えば図５に示すように、「時間帯」、「カテゴリ」、「価格」、「スポンサー」、「キーワード」、「除外ワード」、「キーワード検索方法」といった条件が設定可能である。
「時間帯」は、ユーザが録画予約を所望するＣＭが放送される時間帯を指定する条件であり、例えば上述したように「朝」、「お昼」、「夕方」、「夜」、「深夜」、「全ての時間帯」といった選択肢から選択が可能である。
「カテゴリ」は、ユーザが録画予約を所望するＣＭのカテゴリを指定する条件であり、例えば「食品」、「車」、「化粧品」といった、ＣＭのカテゴリに応じた録画予約の指定を実現するための選択肢を有する。また、これらのカテゴリに加えて、種々のサブカテゴリを指定可能としてもよい。すなわち、カテゴリ「食品」の中のサブカテゴリ「お菓子」や「飲み物」を指定可能としてもよい。
【００２５】
「価格」は、ユーザが録画予約を所望するＣＭが宣伝する商品の凡その価格を指定する条件であり、例えば「〜５００円」、「５００〜５，０００円」、「５，０００〜１００，０００円」、「１００，０００〜１，０００，０００円」、「１００万円〜」といった選択肢から選択が可能である。
「スポンサー」は、ユーザが録画予約を所望するＣＭのスポンサーを指定する条件である。「スポンサー」の選択肢表示欄３３に表示される選択肢候補は、例えば予約管理部１１４が予めサーバ１２にＣＭのスポンサー名について問い合わせをし、サーバ１２により今後の所定の期間（例えば１週間）のＥＣＧ内に存在するＣＭの全てのスポンサー名が抽出されて返信され、メモリ１１５に記憶されている。すなわち、現時点から所定の期間内の全てのＣＭのスポンサー名が、選択肢表示欄３３に選択肢候補として表示されるようになっている。
「キーワード」は、ユーザが録画予約を所望するＣＭに登場するキーワードを指定するための条件であり、ユーザが好きなキーワードを自由に設定できるようにすればよい。
「除外ワード」は、ユーザが録画予約を所望するＣＭに登場しないと想定される単語や文字列を指定するための条件であり、ユーザが好きなキーワードを自由に設定できるようにすればよい。
「キーワード検索方法」は、検索方法に関する条件であり、例えば、ＯＲ検索である選択肢として「いずれかのキーワードを含む」、ＡＮＤ検索である選択肢として「全てのキーワードを含む」を指定可能である。
【００２６】
なお、上述した例では、選択欄３１のうち、「スポンサー」のみ、選択肢表示欄３３に表示される選択肢候補は予め予約管理部１１４によりサーバ１２に問い合わせされ、サーバ１２が抽出した選択肢候補が予めメモリ１１５に記憶されているとした。しかし、本発明はこれには限定されず、他の選択欄３１の選択肢表示欄３３に表示される選択肢候補も、予めサーバに問い合わせされてメモリ１１５に記憶されていてもよい。
また、上述した例では、条件設定画面３０が表示される前に予め選択肢表示欄３３に表示される選択肢候補を予約管理部１１４がサーバ１２に問い合わせされることにより予め取得しメモリ１１５に記憶しているとした。しかし、本発明はこれには限定されず、例えば、条件設定画面３０が表示部１３に表示されることがユーザの操作により決定された時点で、初めて選択肢表示欄３３に表示される選択肢候補を予約管理部１１４がサーバ１２に問い合わせされることにより取得するようにしてもよい。すなわち、選択肢表示欄３３に表示される選択肢候補を予約管理部１１４がサーバ１２に問い合わせされることにより取得するタイミングについては、本発明では限定しない。
【００２７】
予約管理部１１４は、上述した条件設定画面３０を表示部１３に表示させ、ユーザに操作部１１１による選択を行わせることにより、録画予約を行うＣＭを抽出するための条件設定を行うことができる。このように設定された条件は、条件設定情報としてメモリ１１５に記憶される。
ステップＳＴ２：
レコーダ１１の予約管理部１１４は、ステップＳＴ１において設定された条件に関する条件設定情報をサーバ１２に通知する。
【００２８】
ステップＳＴ３：
サーバ１２の検索部１２２は、ステップＳＴ２において通知された条件設定情報を基に、ＤＢ１２３に記憶された所定期間のＥＣＧ情報を検索し、条件に合致するＣＭのＥＣＧ情報を抽出する。なお、ＤＢ１２３に記憶されているＥＣＧ情報は、その記述方法等については本発明では限定しないため、検索部１２２がどのようにＤＢ１２３に記憶されたＥＣＧ情報の中から条件に合致するＣＭのＥＣＧ情報を検索するのか、についても本発明では限定されない。本発明では、ＥＣＧ情報には、例えば番組開始からＣＭの開始或いは終了までの時間、ＣＭが扱う商品のカテゴリ、価格情報、スポンサー等の情報が記憶されていることが想定されている。
【００２９】
ステップＳＴ４：
サーバ１２のＥＣＧ情報送信部１２１は、ステップＳＴ３において検索した検索結果をレコーダ１１側へ送信する。
ステップＳＴ５：
レコーダ１１のメモリ１１５は、ステップＳＴ４において取得された検索結果を、自動的に録画予約の対象となるＣＭであるとして、録画予約情報として記憶する。
本ステップＳＴ５までで録画予約するＣＭを決定する工程は終了である。
【００３０】
ステップＳＴ６：
レコーダ１１の予約管理部１１４は、ステップＳＴ５において録画予約されたＣＭの開始時刻になったか否かを判定する。録画予約されたＣＭの開始時刻になった場合はステップＳＴ７に進み、そうでない場合は本ステップＳＴ６を繰り返す。
ステップＳＴ７：
予約管理部１１４は、録画予約されたＣＭの録画を開始させる。
ステップＳＴ１〜ＳＴ５においてされた録画予約により、予約管理部１１４は、ユーザが設定した条件に合致するＣＭを自動的に記録部１１３により記録媒体に記録することができる。
図６は、予め設定された条件に合致するＣＭが抽出される様子を示した図である。
図６は、１ｃｈ、２ｃｈ、３ｃｈにおける、番組とＣＭの大まかなタイムチャートである。
図６に示すように、ＣＭは１ｃｈではスポンサーがＡ社のお菓子のＣＭ、Ｂ社の飲料のＣＭ、Ｃ社の車のＣＭが放送される。また、２ｃｈでは、Ｃ社の車のＣＭ、Ｄ社のお菓子のＣＭ、Ｂ社の飲料のＣＭが放送される。また、３ｃｈでは、Ｂ社の飲料のＣＭ、Ｃ社の車のＣＭ、Ｅ社のお菓子のＣＭが放送されるとする。
上述したステップＳＴ１〜ＳＴ８で行われた録画予約により、カテゴリとしてお菓子の条件のみが設定されていた場合には、図６に示した例では、Ａ社のお菓子のＣＭ、Ｄ社のお菓子のＣＭ、Ｅ社のお菓子のＣＭが自動的に録画されることになる。
【００３１】
以上説明したように、本第１実施形態の録画システム１００によれば、レコーダ１１の予約管理部１１４は、ユーザが予め録画予約を行いたいＣＭについて「カテゴリ」や「スポンサー」、「キーワード」といった複数の条件をユーザに設定させておく。これにより、予約管理部１１４は、予め設定された条件に合致するＣＭをサーバ１２に問い合わせることにより、条件に合致するＣＭに関するＥＣＧ情報をＣＭの放送前に予め入手し、当該ＣＭを録画予約の対象として予約することができる。そして、実際の放送時には、予約管理部１１４は条件に合致するＣＭのみを記録部１１３により記録媒体に記録することができる。
また、録画予約を所望するＣＭの条件設定を行う際に、様々な条件設定を行うことができるが、各条件の設定時には選択肢が表示され、ユーザは表示された選択肢の中から所望の条件を選択するだけで、条件設定を行うことができるように構成されている。さらに、各条件の設定時に表示される選択肢は、予約管理部１１４が予めサーバに問い合わせ、現時点から所定の期間内のＥＣＧ情報を基に、存在しうる選択肢のみを抽出して表示することができるため、選択の際の労力が軽減される。
【００３２】
＜第２実施形態＞
以下、本発明の第２実施形態の録画システム２００（第２の発明の録画システムに対応）について説明する。
上述した第１実施形態の録画システム１００においては、予めユーザにより設定された録画予約を所望するＣＭの条件がレコーダ１１からサーバ１２へと送信され、サーバ１２が条件に合致するＣＭのＥＣＧ情報を検索していた。
本第２実施形態の録画システム２００は、第１実施形態の録画システム１００と同様、レコーダ２１（第１の発明の録画装置及び第２の発明の録画装置に対応）、サーバ２２（第２の発明のレコーダに対応）、表示部２３、ネットワーク２４を有し、レコーダ２１とサーバ２２とがネットワーク２４により接続されている（図示は省略する）。しかし、レコーダ２１が予めユーザにより設定された録画予約を所望するＣＭの条件をサーバ２２に送信せず、サーバ２２内の全てのＥＣＧ情報をレコーダ２１が取得してレコーダ２１側で条件に合致するＣＭの検索を行う点において、第１実施形態の録画システム１００と異なっている。
【００３３】
以下、第２実施形態のレコーダ２１の各構成の一例について説明する。
図７は、第２実施形態のレコーダ２１が有する構成の一例を説明するための図である。
図７に示すように、第２実施形態のレコーダ２１は、操作部２１１（第１及び第２の発明の操作部に対応）、チューナ２１２（第１及び第２の発明のチューナ部に対応）、記録部２１３、予約管理部２１４（第１及び第２の発明の予約管理部に対応）、メモリ２１５、検索部２１６（第１及び第２の発明の検索部に対応）、ＥＣＧ情報受信部２１７（第１の発明の情報受信部に対応）を有する。
操作部２１１は、第１実施形態の操作部１１１と同様に、例えば種々のキー及び／或いはボタン類、或いはリモートコントローラ（リモコン）等の操作デバイスであり、ユーザによる操作を受け付ける。ユーザは、操作部２１１を操作することにより、ＥＣＧ情報を基に所望する番組やＣＭの録画予約を行うことが出来る。
【００３４】
チューナ２１２は、第１実施形態のチューナ１１２と同様、テレビ放送波を受信し、動画信号を取得する部位である。
記録部２１３は、第１実施形態の記録部１１３と同様、チューナ１１２が取得したテレビ放送の動画データを光ディスクやＨＤＤ等の記録媒体に記録する記録デバイスである。
予約管理部２１４は、操作部１１１を介したユーザの録画予約の管理を行う部位である。具体的には、ネットワーク２４を介してサーバ２２と通信を行い、サーバ２２からＥＣＧ情報を取得して表示部２３に表示させ、ユーザに操作部２１１を介した録画予約の設定を行わせる。そして、録画予約を受け付け、後述するメモリ２１５に録画予約情報として記憶させ、録画予約通りにチューナ２１２及び記録部２１３を動作させて、予約された番組或いはＣＭの録画を実行する。
また、予約管理部２１４は、操作部２１１に対するユーザの操作により録画予約の対象となるテレビ放送内の部位（番組或いはＣＭ）についての条件に関する条件設定情報を取得する。
メモリ２１５は、予約管理部２１４により、ユーザが設定した条件に関する条件設定情報や、録画予約に関する録画予約情報を記憶する記憶装置である。また、メモリ２１５は、予約管理部２１４がサーバ２２と通信して取得したＥＣＧ情報を記憶しておく。
【００３５】
検索部２１６は、予約管理部２１４がサーバ２２から取得したＥＣＧ情報と、条件設定情報とを基に、設定された条件に合致するＣＭを検索して抽出する。
ＥＣＧ情報受信部２１７は、サーバ装置から送信されるＥＣＧ情報を受信する。
【００３６】
次に、サーバ２２の構成について説明する。
図８は、サーバ２２の構成の一例を示したブロック図である。
図８に示すように、サーバ２２は、ＥＣＧ情報送信部２２１、データベース（ＤＢ）２２２を有する。
ＥＣＧ情報送信部２２１は、第１実施形態のＥＣＧ情報送信部１２１と同様、レコーダ２１の予約管理部２１４により要求された現時点から所定時間のＥＣＧ情報を後述するデータベース２２２から読み出し、予約管理部２１４を対して送信する。
ＤＢ２２２は、第１実施形態のＤＢ１２３と同様、ＥＣＧ情報を記憶しているデータベースである。サーバ２２に記憶されるＥＣＧ情報は、例えば現在時刻から所定期間（例えば１週間）に放送が予定されている全ての番組或いはＣＭに関するＥＣＧ情報である。ＤＢ１２３に記憶されるＥＣＧ情報は、例えばテレビ放送を実行する放送局により、放送開始より所定期間（例えば１週間）前には更新される。なお、ＥＣＧ情報の詳細（規格や記述の方法等）、及びＤＢ１２３に記憶されるＥＣＧ情報の更新の方法等については本発明では限定しない。
【００３７】
本第２実施形態の録画システム２００においては、ユーザが予め行った、録画予約を所望するＣＭの条件設定に応じて、予約管理部２１４が、サーバ２２からＥＣＧ情報を取得し、検索部２１６が条件に合致するＣＭを検索及び抽出する。
以下、ユーザが録画予約を所望するＣＭの条件を予め設定することにより、条件に合致するＣＭを自動的に録画する場合の録画システム２００の動作例について説明する。
図９は、予めされた条件設定に応じて、条件に合致するＣＭを自動的に録画する場合の録画システム２００の動作例について説明するためのシーケンス図である。
【００３８】
ステップＳＴ１１：
レコーダ２１の予約管理部２１４は、録画予約を行うＣＭの条件設定を、ユーザの操作部２１１への操作等に応じて行う。条件設定の方法については、第１実施形態において説明した方法と同様であるため説明を省略する。
ステップＳＴ１２：
レコーダ２１の予約管理部２１４は、サーバ２２に対して、ＥＣＧ情報を要求する。
【００３９】
ステップＳＴ１３：
ステップＳＴ１２においてレコーダ２１からのＥＣＧ情報の要求を受信したサーバ２２のＥＣＧ情報送信部２２１は、ＤＢ２２２に記憶されたＥＣＧ情報を全てレコーダ２１に対して送信する。ここで、サーバ２２から送信されるＥＣＧ情報は、ＤＢ２２２に記憶された全てのＥＣＧ情報であり、すなわち、例えば現時点から所定期間（例えば１週間）内の全ての番組及びＣＭに関する情報を含むＥＣＧ情報である。
ステップＳＴ１４：
ステップＳＴ１３においてサーバ２２から送信されたＥＣＧ情報を、メモリ２１５が記憶する。
【００４０】
ステップＳＴ１５：
検索部２１６は、ステップＳＴ１１において設定された条件に合致するＣＭを、ステップＳＴ１４においてメモリ２１５に記憶されたＥＣＧ情報を基に検索する。これにより、例えば現時点から所定期間内に放送される予定のユーザが設定した条件に合致するＣＭが抽出される。
ステップＳＴ１６：
レコーダ２１のメモリ２１５は、ステップＳＴ１５において抽出された条件に合致するＣＭを、録画予約の対象となるＣＭであるとして、録画予約情報として記憶する。
本ステップＳＴ１６までで録画予約するＣＭを決定する工程は終了である。
【００４１】
ステップＳＴ１７：
レコーダ２１の予約管理部２１４は、ステップＳＴ１６において録画予約されたＣＭの開始時刻になったか否かを判定する。録画予約されたＣＭの開始時刻になった場合はステップＳＴ１８に進み、そうでない場合は本ステップＳＴ１７を繰り返す。
ステップＳＴ１８：
予約管理部２１４は、録画予約されたＣＭの録画を開始させる。
ステップＳＴ１１〜ＳＴ１６においてされた録画予約により、予約管理部２１４は、ユーザが設定した条件に合致するＣＭを自動的に記録部２１３により記録媒体に記録することができる。
【００４２】
上述した動作により、本実施形態の録画システム２００は、レコーダ２１の予約管理部２１４は、ユーザが予め録画予約を行いたいＣＭについて複数の条件をユーザに設定させておく。この後、予約管理部２１４はサーバ２２にＥＣＧ情報を要求することにより、サーバ２２にある全てのＥＣＧ情報を取得し、メモリ２１５に記憶する。そして、検索部２１６が、予め設定された条件に合致するＣＭをメモリ２１５に記憶されたＥＣＧ情報の中から検索及び抽出することで、条件に合致するＣＭに関するＥＣＧ情報をＣＭの放送前に予め入手し、当該ＣＭを録画予約の対象として予約することができる。そして、実際の放送時には、予約管理部２１４は条件に合致するＣＭのみを記録部２１３により記録媒体に記録することができる。
したがって、第２実施形態の録画システム２００においては、レコーダ２１とサーバ２２とが通信を行うのは、レコーダ２１側がＥＣＧ情報を要求したときだけである。すなわち、レコーダ２１とサーバ２２とが、ネットワーク２４を介して常時接続されていないような場合にも、本実施形態の録画システム２００を適用することが可能である。ただし、条件設定情報に基づくＥＣＧ情報からの録画予約を所望するＣＭの検索及び抽出が、レコーダ２１側で行われるため、レコーダ２１の動作が、第１実施形態の録画システム１００のレコーダ１１と比較して、重くなることは考えられる。このため、環境に応じて、第１実施形態において説明した録画システム１００と、第２実施形態において説明した録画システム２００のいずれｋを選択することにより、好適なＣＭ録画予約を行うころができる録画システムを構築することができるようになる。
【００４３】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
【図面の簡単な説明】
【００４４】
【図１】図１は、第１実施形態の録画システムのシステム構成の一例を示すブロック図である。
【図２】図２は、第１実施形態のレコーダの構成の一例を示したブロック図である。
【図３】図３は、第１実施形態のサーバの構成の一例を示したブロック図である。
【図４】図４は、予めされた条件設定に応じて、条件に合致するＣＭを自動的に録画する場合の第１実施形態の録画システムの動作例について説明するためのシーケンス図である。
【図５】図５は、録画予約を行うＣＭの条件を設定する条件設定画面について説明するための図である。
【図６】図６は、予め設定された条件に合致するＣＭが抽出される様子を示した図である。
【図７】図７は、第２実施形態のレコーダが有する構成の一例を説明するための図である。
【図８】図８は、第２実施形態のサーバの構成の一例を示したブロック図である。
【図９】図９は、予めされた条件設定に応じて、条件に合致するＣＭを自動的に録画する場合の録画システムの動作例について説明するためのシーケンス図である。
【符号の説明】
【００４５】
１００…録画システム、１１…レコーダ、１１１…操作部、１１２…チューナ、１１３…記録部、１１４…予約管理部、１１５…メモリ、１２…サーバ、１２１…情報送信部、１２２…検索部、１２３…データベース、１３…表示部、１４…ネットワーク、２００…録画システム、２１…レコーダ、２１１…操作部、２１２…チューナ、２１３…記録部、２１４…予約管理部、２１５…メモリ、２１６…検索部、２１７…ＥＣＧ情報受信部、２２…サーバ、２２１…ＥＣＧ情報送信部、２２２…データベース、３…表示部、２４…ネットワーク、３０…条件設定画面、３１…選択欄、３２…カーソル、３３…選択肢表示欄
【図１】
2009296273.tif 000003
【図２】
2009296273.tif 000004
【図３】
2009296273.tif 000005
【図４】
2009296273.tif 000006
【図５】
2009296273.tif 000007
【図６】
2009296273.tif 000008
【図７】
2009296273.tif 000009
【図８】
2009296273.tif 000010
【図９】
2009296273.tif 000011